(57)【特許請求の範囲】
【請求項１】
上部にノズルが配置されるとともに起立姿勢に支持された本体と、前記ノズルに液体を供給する液体供給手段と、前記ノズルから噴出する液体を水玉に形成するための振動付与手段とを備えた水玉鑑賞装置において、
前記本体に、所定間隔で点滅する発光ダイオードを支持させるとともに、当該発光ダイオードをカバーする態様で前記本体の外側に装着されて前記発光ダイオードの光を拡散させる光拡散手段を設け、当該光拡散手段による光の拡散によって、前記ノズルから前記光拡散手段の近傍に沿って下方に落下する水玉が光拡散手段を背景にして目視可能に設けられていることを特徴とする水玉鑑賞装置。
【請求項２】
上部に複数のノズルが配置されるとともに起立姿勢に支持された本体と、この本体の下部に設けられたベースと、前記ノズルに液体を供給する液体供給手段と、前記ノズルから噴出する液体を水玉に形成するための振動付与手段とを備えた水玉鑑賞装置において、
前記ベースは、前記ノズルから落下する水玉を受容して前記液体供給手段に循環させることのできる大きさに設けられ、
前記本体に、所定間隔で点滅する発光ダイオードを支持させるとともに、当該発光ダイオードをカバーする態様で前記本体の外側に装着されて前記発光ダイオードの光を拡散させる光拡散手段を設け、当該光拡散手段による光の拡散によって、前記ノズルから前記光拡散手段の近傍に沿って下方に落下する水玉が光拡散手段を背景にして目視可能に設けられていることを特徴とする水玉鑑賞装置。
【請求項３】
前記本体は筒状若しくは柱状に設けられ、この本体の上部外周に沿って前記ノズルが配置される一方、本体の周方向に沿って前記発光ダイオードが配置されていることを特徴とする請求項１又は２記載の水玉鑑賞装置。
【請求項４】
前記光拡散手段は複数に分割された光拡散パネルにより構成されていることを特徴とする請求項１，２又は３記載の水玉鑑賞装置。
【請求項５】
本体の上部に配置されたノズルから、液体に振動を付与することで形成される水玉を落下させ、この水玉に点滅光をあてることで当該水玉が落下する状態を鑑賞する水玉鑑賞方法において、
前記本体に発光ダイオードを装着するとともに当該発光ダイオードをカバーする光拡散手段を設けておき、
前記ノズルから前記光拡散手段の近傍に沿って下方に水玉を落下させる際に、前記発光ダイオードを点滅させて当該点滅した光を前記光拡散手段に拡散させることで、前記水玉を前記光拡散手段を背景にして目視することを特徴とする水玉鑑賞方法。
【発明の詳細な説明】
【０００１】
【発明の属する技術分野】
本発明は水玉鑑賞装置及び水玉鑑賞方法に係り、更に詳しくは、水玉に点滅光を当てることによって当該水玉を目視でき、且つ、全体的なサイズをコンパクトにすることのできる水玉鑑賞装置及び水玉鑑賞方法に関する。
【０００２】
【従来の技術】
従来より、ノズルから水玉を噴出させることのできる噴水装置が知られている（例えば、特開平９−１４１１５７号公報参照）。この噴水装置は、流水中に振動を付与するバイブレータ等からなる振動付与手段と、通水管の先端に設けられたノズルとを備えており、前記振動付与手段の振動によってノズルの先端から水玉を噴出させることができるようになっている。
【０００３】
しかしながら、前記噴水装置による水玉は物理的に発生していても、通常は、目視することができない。そのため、水玉が落下する態様を鑑賞するためには、噴水装置より離れた位置にストロボを配置し、このストロボを所定周波数で点滅させ、この点滅光による人の目の残像作用を利用して水玉を目視させる必要がある。
【０００４】
【発明が解決しようとする課題】
ところが、このようなストロボを用いた場合には、噴水装置の導入先での現場作業を必要とするもので、施工に熟練度が要求される等の不都合がある。すなわち、装備が非常に大がかりとなって高価になるばかりでなく、これが、小型化された汎用タイプの鑑賞用に適合させることができないという要因となっている。また、ストロボの点滅光が、人の目に疲労感を与えてしまい、噴水装置を鑑賞した後でも、目がチカチカして充血してしまうという不都合もある。
【０００５】
このような不都合を解消すべく、本発明者は、ストロボを用いることなく、他の光源として発光ダイオード（ＬＥＤ）に着目し、ストロボと同じように点滅をさせて実験を行なった。しかしながら、この場合においては、発光ダイオードの発光領域直近を落下する水玉だけが目視できるだけで、ノズルから噴出した水玉が落下する位置までの一連に亘る水玉を視認することができない。
【０００６】
従って、理論的には、水玉の噴出位置から落下位置までの領域に沿って多数の発光ダイオードを配置すればよいことになるが、この場合には、用いる発光ダイオードの数が非常に多数になってしまうという不都合を招来する。加えて、発光ダイオードの数を非常に多数とした場合には、コスト的な負担が重くなるとともに、組み立て工程に時間を要する他、人の目に優しい状態を与えることも困難となり、量的にも自ずと制約がある。
【０００７】
そこで、本発明者は、さらに種々の実験を行なったところ、発光ダイオードの数を極端に増やすことなく当該発光ダイオードの点滅光を面的に拡散させることによって、水玉が落下する一連の様子を目視できることを知見した。
【０００８】
本発明は、前述した不都合を契機若しくは動機とする種々の実験による結果によって案出されたものであり、その目的は、ストロボを用いることなく、水玉が噴出する位置から落下する位置まで目視可能となる水玉鑑賞装置及び水玉鑑賞方法を提供することにある。
【０００９】
また、本発明の他の目的は、現場施工を必要とすることなく工場にて量産できる汎用型の水玉鑑賞装置を提供することにある。
【００１０】
【課題を解決するための手段】
前記目的を達成するため、本発明は、上部にノズルが配置されるとともに起立姿勢に支持された本体と、前記ノズルに液体を供給する液体供給手段と、前記ノズルから噴出する液体を水玉に形成するための振動付与手段とを備えた水玉鑑賞装置において、
前記本体に、所定間隔で点滅する発光ダイオードを支持させるとともに、当該発光ダイオードをカバーする態様で前記本体の外側に装着されて前記発光ダイオードの光を拡散させる光拡散手段を設け、当該光拡散手段による光の拡散によって、前記ノズルから前記光拡散手段の近傍に沿って下方に落下する水玉が光拡散手段を背景にして目視可能に設けられる、という構成を採っている。このような構成によれば、発光ダイオードが点滅したときに、当該点滅光が光拡散手段を伝って拡がるようになる。従って、光拡散手段の領域全体に点滅光が行き渡ることとなり、これにより、発光ダイオードの数を極端に増やすことなく、人の目に優しい状態を保ちつつノズルから噴出する水玉が落下するまでを目視することが可能となる。
【００１１】
また、本発明は、上部に複数のノズルが配置されるとともに起立姿勢に支持された本体と、この本体の下部に設けられたベースと、前記ノズルに液体を供給する液体供給手段と、前記ノズルから噴出する液体を水玉に形成するための振動付与手段とを備えた水玉鑑賞装置において、
前記ベースは、前記ノズルから落下する水玉を受容して前記液体供給手段に循環させることのできる大きさに設けられ、
前記本体に、所定間隔で点滅する発光ダイオードを支持させるとともに、当該発光ダイオードをカバーする態様で前記本体の外側に装着されて前記発光ダイオードの光を拡散させる光拡散手段を設け、当該光拡散手段による光の拡散によって、前記ノズルから前記光拡散手段の近傍に沿って下方に落下する水玉が光拡散手段を背景にして目視可能に設けられる、という構成を採っている。このような構成では、前述した作用、効果を得ることはもとより、汎用型の水玉鑑賞装置とすることができる。従って、例えば、各種宴会場若しくは式場におけるテーブルや通路に配置することで、所定の演出効果を発揮させることが可能となる。
更に、本発明は、本体の上部に配置されたノズルから、液体に振動を付与することで形成される水玉を落下させ、この水玉に点滅光をあてることで当該水玉が落下する状態を鑑賞する水玉鑑賞方法において、
前記本体に発光ダイオードを装着するとともに当該発光ダイオードをカバーする光拡散手段を設けておき、
前記ノズルから前記光拡散手段の近傍に沿って下方に水玉を落下させる際に、前記発光ダイオードを点滅させて当該点滅した光を前記光拡散手段に拡散させることで、前記水玉を前記光拡散手段を背景にして目視する、という方法を採っている。
【００１２】
【発明の実施の形態】
本発明において、前記本体は筒状若しくは柱状に設けられ、この本体の上部外周に沿って前記ノズルが配置される一方、本体の周方向に沿って前記発光ダイオードが配置される、という構成を採ることが好ましい。このような構成では、筒状若しくは柱状をなす本体の周方向全領域から水玉を落下させることができ、水玉鑑賞装置に向かって眺める位置に制限を受けることがない。従って、例えば、水玉鑑賞装置を円形テーブル等の中央に置き、当該円形テーブル等を囲むように人が着座した場合でも、全ての人によって水玉の落下態様を鑑賞することができる。
【００１３】
また、前記光拡散手段は複数に分割された光拡散パネルにより構成するとよい。このような分割タイプとすることで、光拡散パネルの取り外しが極めて容易となり、本装置の保守、点検等が必要となった場合でも難なく対応することが可能となる。
【００１４】
【実施例】
以下、本発明の実施例を図面を参照しながら説明する。
【００１５】
図１ないし図４には、本発明の実施例に係る水玉鑑賞装置が示されている。これらの図において、水玉鑑賞装置１０は、上部に複数のノズル１１が配置された本体１２と、この本体１２回りに配置された高輝度発光ダイオード１３と、当該発光ダイオード１３をカバーする態様で本体１２の外側に装着された光拡散手段１４と、前記本体１２の下部に位置して当該本体１２を支持するベース１６と、前記ノズル１１に液体、本実施例では水を供給する液体供給手段１７と、前記ノズル１１から噴出する水を水玉Ｗに形成するための振動付与手段１８と、前記発光ダイオード１３を所定制御するコントローラー１９とを備えて構成されている。
【００１６】
前記ノズル１１は、特に限定されるものではないが、本実施例では、ポリプロピレン等の合成樹脂によって構成された合計１２個が用いられている。これらノズル１１は、前記本体１２の上部を貫通するように本体１２の周方向に沿って等間隔をおいて配置されている。各ノズル１１は、当該ノズル１１の先端から噴出する水玉Ｗを外側に向かって放物線の軌跡に沿って落下させることのできる傾斜向きに設けられている。なお、ノズル１１から水玉Ｗを噴出させると、当該ノズル１１の開口径の約二倍の大きさとなる水玉Ｗを発生させることができる。因みに、本実施例では、水玉Ｗの大きさが約５ｍｍとなるように設定されており、従って、ノズル１１の開口径は、約２．５ｍｍのものが採用されている。但し、水玉Ｗの大きさを更に大きくしたり、小さくしたりする場合には、ノズル１１の開口径が大小異なるものを採用すれば足りる。例えば、水玉Ｗが、水玉鑑賞装置１０から数メートル離れた位置で鑑賞される場合には、更に大きな水玉Ｗを発生させることができる開口径を備えたノズルを採用することが好ましい。
【００１７】
前記本体１２は、本実施例では、高さが約５００ｍｍに設けられ、概して、横断面形状が略円形となる筒状若しくは多角形となる柱状に設けられている。この本体１２は、適宜な合成樹脂を用いて構成されており、本実施例では、下部筒体２３と、この下部筒体２３の上部に位置する中間筒体２４と、当該中間筒体２４の上部に位置する上部カバー２５とを備えて構成されている。下部筒体２３は、図４に拡大して示されるように、その下端にフランジ２７を備え、当該フランジ２７がベース１６側に連結されることにより、本体１２全体が起立姿勢に支持されるようになっている。
【００１８】
前記中間筒体２４は、下部筒体２３の上部内に嵌合可能な外径に設けられ、これら中間筒体２４と下部筒体２３との嵌合領域にねじ２８をねじ込んで相互に連結されている。また、中間筒体２４の上端には、前記上部カバー２５を連結するためのフランジ３０が設けられている。
【００１９】
前記上部カバー２５は、アートフラワー等、適宜な装飾品を載置若しくは固定することのできる頂壁３２を備えた下部開放型に設けられ、その下端に、前記フランジ３０に対応するリング状の取付片３３を備え、この取付片３３とフランジ３０にねじ３４をねじ込むことで上部カバー２５が中間筒体２４に連結されている。また、上部カバー２５の上端外周コーナー部はテーパ状部３５とされ、当該テーパ状部３５を内外に貫通するように、前記ノズル１１を支持させることで、各ノズル１１から噴出する水玉Ｗが前述した放物線の軌跡に沿って落下可能となる。
【００２０】
前記発光ダイオード１３は、前記下部筒体２３の下部外周側に位置する下部発光ダイオード列１３Ａと、中間筒体２４の中間外周側に位置する上部発光ダイオード列１３Ｂとにより構成されている。各発光ダイオード列１３Ａ，１３Ｂは、リング部材３７，３８にそれぞれ支持されており、これらのリング部材３７，３８を下部筒体２３及び中間筒体２４の外周に掛け回すように装着することにより、発光ダイオード列１３Ａ，１３Ｂが本体１２の外周に略等しい間隔をおいて位置するようになっている。なお、各発光ダイオード列１３Ａ，１３Ｂは、図示しないケーブルを介してコントローラー１９に接続され、当該コントローラー１９で設定される周波数に対応して点滅可能に設けられている。
【００２１】
前記光拡散手段１４は、横断面形状が半円形となる二枚の光拡散パネル１４Ａ，１４Ｂにより構成されている。これら光拡散パネル１４Ａ，１４Ｂは、所定の樹脂材料に光反射材を含有してなる板状の成形品によって構成されている。この光拡散パネル１４Ａ，１４Ｂは、これらに入射した光を内部で反射させながらパネル面に沿って光を拡散させ、これにより、光拡散パネル１４Ａ，１４Ｂが全体的に明るくなるようになっている。本実施例における光拡散パネル１４Ａ，１４Ｂとしては、例えば、三菱レイヨン株式会社製、登録商標「アクリライト」Ｓの色調No４２２又はNo４３２が用いられている。本実施例においては、「アクリライト」Ｓのクリヤー、オーパルタイプのものが用いられているが、水玉Ｗの目視が可能である限りにおいて、着色透明、着色半透明、着色不透明なタイプ等も用いることができる。また、光拡散パネル１４Ａ，１４Ｂは、発光ダイオード１３の光が面的に拡散できる限りにおいて、その他の材質からなる各種タイプのものを採用することができる。
【００２２】
前記ベース１６は全体として上部が開放した有底皿状に設けられ、その最大直径が約５８０ｍｍ、高さが約１６０ｍｍに設けられている。このベース１６は、図３に示されるように、スカート状に拡がる略円筒状の外壁部４０と、この外壁部４０の上端に連なる水平外縁部４１と、この水平外縁部４１の内方端から内側下方に向かって縮径するように傾斜方向に延びる内壁部４２と、この内壁部４２の下端に連なる底壁部４３を介して上方縮径方向に延びる内周側壁部４５と、この内周側壁部４５の上端に設けられて前記下部筒体２３のフランジ２７の固定面をなすリング状部４６とを備えて構成されている。このベース１６は、一枚の樹脂パネルを真空成形することによって得ることができる。
【００２３】
前記底壁部４３は、本体１２の周方向に沿う略１８０度領域（図３中左側半分領域）が段部４７を介して更に落ち込んだ形状に設けられており、この落ち込んだ領域を貯水部Ｓとして循環水が貯まり、当該貯水部Ｓ内に液体供給手段１８の一部を構成するポンプＰが配置されている。ここで、段部４７には、パンチングボード４９が配置され、当該パンチングボード４９の上面側と、図３中右側半分領域の底壁部４３の上面側には、透水性を備え、且つ、水跳ねし難い部材、例えば、人工芝等からなるマット５０が敷設されている。
【００２４】
前記液体供給手段１８は、前記ポンプＰと、このポンプＰに接続された送水管５２と、当該送水管５２の送水口側に位置するタンク５３と、このタンク５３の上面側に設けられた１２個の連結管５４と、これら連結管５４に一端側（下端側）が連結されるとともに、他端側（上端側）が前記ノズル１１に連結された１２本のホース５５とにより構成されている。なお、タンク５３は、その上端に位置する円盤状の取付板５６がベース１６におけるリング状部４６の下面側に位置した状態でねじ５７により固定されている。
【００２５】
前記振動付与手段１８は、前記タンク５３の底部を形成する振動板５８と、この振動板５８の略中央部に設けられた略コ字状のアーム５９と、このアーム５９に吊り下げ保持されたバイブレータ６０とにより構成されている。振動板５８は、特に限定されるものではないが、例えば、板厚２ｍｍの塩化ビニル樹脂プレート等により構成され、当該振動板５８は、ゴム系接着剤６１及びねじ６２を介して固定されている。
【００２６】
前記バイブレータ６０は、図示省略したケーブルを介してコントローラー１９に接続されており、当該コントローラー１９に内蔵された周波数変換器を介して振動周波数が可変に設けられている。
【００２７】
前記コントローラー１９は、前記液体供給手段１７及び振動付与手段１８を所定制御するもので、図示しないケーブルを介して商用電源に接続される。このコントローラー１９には、前記周波数変換器の他に、前記発光ダイオード１３と電気的に接続されて当該発光ダイオード１３を点滅させるパルス供給装置を備えて構成されている。パルス供給装置としては、トランジスタのゲートにパルスを出力する発信回路を備えた公知のものが採用されている。コントローラー１９は、図示しないハンディタイプのリモコン装置を用いて外部より操作可能となっている。なお、発光ダイオード１３の点滅数と、前記バイブレータ６０の周波数との相関関係によって水玉Ｗが落下して見える場合の他、静止した状態又は上昇した状態を見せることができる。例えば、発光ダイオード１３を一秒間に５０回点滅するように周波数を設定する一方、バイブレータの周波数を５０Ｈｚに設定した場合には、水玉が静止して見え、バイブレータ６０の振動周波数を相対的に上げたときに、水玉Ｗが落下する状態に見える。この一方、前記振動周波数を下げたときは水玉Ｗが上昇して見えるようになる。
【００２８】
次に、本実施例に係る水玉鑑賞装置１０の全体的な作用について説明する。
【００２９】
所定の電源を投入してポンプＰを動作させると、前記パンチングボード４９以下に貯められている水が吸引されたタンク５３に送水され、ホース５５を介してノズル１１から連続的に噴出される。ここで、バイブレータ６０をＯＮさせて振動板５８に振動を与えると、この振動に対応してタンク５３内の水に振動が伝達され、振動の密なる部分が流水中を伝播してノズル１１から出るときに水玉Ｗを発生させることとなる。
【００３０】
ここで、発光ダイオード１３を点滅させると、当該点滅光が光拡散パネル１４Ａ，１４Ｂ全体に拡散された状態で点滅することとなり、この点滅に伴う人間の目の残像作用によって、水玉Ｗが点々と輝いて放物線上を落下する態様、すなわち、前記本体１２の外側に装着された光拡散手段１４の近傍に沿って水玉Ｗが落下する態様を当該光拡散手段１４を背景にして目視できることとなる。
【００３１】
落下した水玉Ｗは、ベース１３内のマット５０を浸透してパンチングボード４９の穴を通じて貯水部Ｓ内に戻るようになり、従って、一定量の水を予め貯水部Ｓに収容させておくことで、これを循環させながら水玉Ｗを連続的に発生させることができる。
【００３２】
従って、このような実施例によれば、水玉Ｗを目視させる手段として発光ダイオード１３と光拡散手段１４を採用したから、水玉Ｗの発生位置から落下位置までを一連に目視することができるようになる。しかも、マルチストロボを採用していないため、目がチカチカして充血させてしまうような従来の不都合も確実に解消することができる。また、発光ダイオード１３が光拡散パネル１４Ａ，１４Ｂの内側に位置するため、外側から見たときに、光がソフトな感じとなり、この点からも目の疲労感を回避することができる。
【００３３】
なお、本発明は前記実施例に限定されるものではなく、例えば、図５に示される構成を採用することができる。同図に示される水玉鑑賞装置１００は、行灯タイプとして構成されたものである。この水玉鑑賞装置１００は、本体１０２の外側に縦横に組み合わされたフレームＦがベース１０５上に設けられ、このフレームＦに光拡散手段としての四枚の光拡散パネル１０３が配置されて本体１０２の上部に位置するノズル１０４から光拡散パネル１０３の近傍に沿って外側に落下する水玉Ｗが光拡散パネル１０３を背景にして鑑賞できるように構成されている。このタイプの水玉鑑賞装置１００は、例えば、露天風呂等の回りに配置することで、照明装置としての機能をも発揮させることができ、湯に浸かりながら水玉Ｗを鑑賞することが可能となる。なお、図５に示される水玉鑑賞装置１００は、ここでは、詳細構造を省略しているが、底部側に、前記実施例で示した液体供給手段、振動付与手段及びコントローラーを装備して構成されている。また、このタイプの水玉鑑賞装置１００は、図示しないホースを介して前述した露天風呂の湯水を吸い込みできるように構成することができる。
【００３４】
また、前記各実施例における水は、無色のもの以外の着色されたものであってもよく、これにより、異なる美観を有する水玉Ｗを鑑賞することができる。更に、発光ダイオード１３は、光拡散パネル１４Ａ，１４Ｂの内側に配置したが、これらの外側に配置することもできる。また、発光ダイオード１３は、上下二列としたが、本体１２、１０２の高さに応じて増加、減少させることができる。
【００３５】
更に、ノズル１１は、本体１２，１０２の外周から放射方向に略等しく水玉Ｗを噴出させる配置とされているが、本発明はこれに限定されるものではなく、本体１２，１０２が鉛直面内に位置する平面的な構造体である場合には、ノズル１１を本体１２，１０２の上部に直線的に並べておき、滝のような配列となるようにして水玉Ｗを落下させることもできる。また、ノズル１１は、少なくとも一個あれば足りる。
【００３６】
更に、前記本体１２，１０２を光拡散パネルによって構成することもでき、この光拡散パネルの内周側又は外周側に発光ダイオードを配置してもよい。また、光拡散パネルは、分割型でなくともよく、単一の円筒型若しくは角筒型、或いは、一枚の板状体等、本体１２，１０２の形状に応じて設計変更することができる。要するに、本発明は、発光ダイオード１３の光を拡散して当該発光ダイオードの使用数を抑制しつつ面方向に光を拡散することができるものであればよい。
【００３７】
更に、前記実施例で示した本体１２の高さ、ベース１６の直径及び高さは一例を示したものであり、本発明に係る水玉発生装置１０の大きさを限定するものではない。
【００３８】
また、本体１２は、上下方向に三分割された構成に限らず、一体成形品或いは、二分割構成等に変更することができる。つまり、本体１２の高さが前記実施例構成のものより更に小さい場合には、一体成形品或いは二分割型にしてもよい。要するに、本体１２の高さに応じて、これを構成する筒体の分割数を決定すればよい。
【００３９】
更に、前記実施例では、水玉鑑賞装置１０が商用電源に接続されて動作する場合を説明したが、本発明はこれに限定されるものではなく、バッテリーを内蔵させてコードレスタイプとして動作させることもできる。このようなバッテリー型とした場合には、水玉鑑賞装置１０の設置個所に制約がなくなり、自由度を確保することができるという別途の効果を得る。
【００４０】
また、前記ベース１６において、貯水部Ｓを形成する底壁部４３に水抜き栓を設け、当該貯水部Ｓ内の水を交換できるようにすることもできる。
【００４１】
【発明の効果】
以上説明したように、請求項１記載の発明によれば、発光ダイオードが点滅したときに、当該点滅光が光拡散手段を伝って拡がるようになるため、光拡散手段の領域全体に点滅光が行き渡ることとなり、これにより、発光ダイオードの数を極端に増やすことなく、人の目に優しい状態を保ちつつノズルから噴出する水玉が落下するまでを目視することが可能となる。また、光源として、発光ダイオードを用いたから、従来のストロボに比べて消費電力が大幅に少なくてすみ、ランニングコストが軽減された経済性を備えた水玉鑑賞装置とすることができる。
【００４２】
また、請求項２記載の発明によれば、汎用型の水玉鑑賞装置とすることができる。従って、例えば、各種宴会場若しくは式場におけるテーブルや通路に配置することで、所定の演出効果を発揮させることが可能となる。すなわち、この構成では、照明装置としての機能も有するため、各種セレモニーが行なわれる会場の出入口に通じる通路に沿って配置することで、夜間の照明装置として利用しつつ、一定の装飾的効果をも得ることができる。
【００４３】
更に、請求項３記載の発明によれば、筒状若しくは柱状をなす本体の周方向全領域から水玉を落下させることができ、水玉鑑賞装置に向かって眺める位置に制限を受けることがない。従って、例えば、水玉鑑賞装置を円形テーブル等の中央に置き、当該円形テーブル等を囲むように人が着座した場合でも、全ての人によって水玉の落下態様を鑑賞することができる。
【００４４】
また、請求項４記載の発明によれば、光拡散パネルの取り外しが極めて容易となり、本装置の保守、点検ン度が必要となった場合でも難なく対応することが可能となる。
【図面の簡単な説明】
【図１】本発明の第１の実施例に係る水玉鑑賞装置の縦断面図。
【図２】前記水玉鑑賞装置の概略斜視図。
【図３】前記水玉鑑賞装置における光拡散パネルを外した状態を示す概略斜視図。
【図４】前記装置の本体領域の拡大断面図。
【図５】本発明の他の実施例に係る水玉鑑賞装置の概略斜視図。
【符号の説明】
１０  水玉鑑賞装置
１１  ノズル
１２  本体
１３  発光ダイオード
１４  光拡散手段
１４Ａ，１４Ｂ  光拡散パネル
１６  ベース
１８  振動付与手段
１９  コントローラー
６０  バイブレータ
１００  水玉鑑賞装置
１０２  本体
１０３  光拡散パネル（光拡散手段）
１０４  ノズル
【図１】
0003986296.tif 000002
【図２】
0003986296.tif 000003
【図３】
0003986296.tif 000004
【図４】
0003986296.tif 000005
【図５】
0003986296.tif 000006